(57)【要約】【課題】通信端末装置を組み立てた後にも、通信端末装置の仕向けと通信基板の仕向けとが一致していることを簡単に確認することができる通信端末装置および通信端末装置の制御方法を提供することを目的とするものである。【解決手段】各種の識別情報を保持している記録ヘッドを装着可能な通信端末装置であって、上記記録ヘッドが保持している識別情報を検出する第１検出手段と、各国の通信規格のうちの１つの通信規格が設定されている通信基板と、上記通信基板に識別情報を設定する設定手段と、上記通信基板に設定されている識別情報を検出する第２検出手段と、上記第１検出手段が検出した識別情報と、上記第２検出手段が検出した識別情報とを比較する比較手段とを有する。【選択図】図１
2007251579.tif 000002
【特許請求の範囲】
【請求項１】
各種の識別情報を保持している記録ヘッドを装着可能な通信端末装置であって、
上記記録ヘッドが保持している識別情報を検出する第１検出手段と；
各国の通信規格のうちの１つの通信規格が設定されている通信基板と；
上記通信基板に識別情報を設定する設定手段と；
上記通信基板に設定されている識別情報を検出する第２検出手段と；
上記第１検出手段が検出した識別情報と、上記第２検出手段が検出した識別情報とを比較する比較手段と；
を有することを特徴とする通信端末装置。
【請求項２】
上記請求項１において、
上記比較手段が比較した両識別情報が互いに一致している場合、正常状態であることを通知し、上記両識別情報が互いに一致しない場合、エラー状態であることを通知する通知手段を有することを特徴とする通信端末装置。
【請求項３】
上記請求項１において、
上記記録ヘッドが保持している識別情報と、上記通信基板に設定されている識別情報とに、仕向け情報が含まれ、
上記比較手段は、それぞれの仕向け情報を比較する手段であることを特徴とする通信端末装置。
【請求項４】
上記請求項３において、
上記比較手段が比較した結果、仕向け情報が一致している場合、設定されている仕向け情報を通知する通知手段を有することを特徴とする通信端末装置。
【請求項５】
各種の識別情報を保持している記録ヘッドが保持している識別情報を検出する第１検出段階と；
各国の通信規格のうちの１つの通信規格が設定されている通信基板に識別情報を設定する設定段階と；
上記通信基板に設定されている識別情報を検出する第２検出段階と；
上記第１検出段階で検出された識別情報と、上記第２検出段階で検出された識別情報とを比較する比較段階と；
を有することを特徴とする通信端末装置の制御方法。
【発明の詳細な説明】
【技術分野】
【０００１】
本発明は、通信回線を介して、他の通信端末装置と通信する通信端末装置に係り、特に、世界各国に上記通信端末装置を出荷する際に、仕向け毎に通信規格を満足する通信基板を、上記通信端末装置に実装して出荷する通信端末装置に関する。
【背景技術】
【０００２】
仕向け毎に異なる通信規格に対応する通信端末装置を生産する場合、各仕向け単位で、その制御のためのプログラムや、通信基板を、それぞれの仕様に対応して生産する。したがって、この生産方法は、生産効率の向上を阻害する要因である。
【０００３】
種々の仕様の網制御部に対応する通信端末装置を、種々の国、地域向けに生産する場合に、通信基板とそのプログラムとを、それぞれに対応させて容易に変更可能なファクシミリ通信端末装置等の通信端末装置が提供されている。
【０００４】
このような通信端末装置において、通信基板とモデム基板との間に、識別信号線を設け、通信基板を識別するための識別信号に基づいて、その通信規格に対応したソウフトウエアプログラムを読み出し、通信基板を制御する（たとえば、特許文献１参照）。
【特許文献１】特開平１１−２３４４５６号公報
【発明の開示】
【発明が解決しようとする課題】
【０００５】
通信規格の仕向け毎に、通信基板を通信端末装置に実装して出荷する従来の通信端末装置では、各仕向けによって、実装される通信基板が違う。したがって、他の仕向けの通信基板を工場で、誤って実装した場合、実装されている基板の仕向けを確認する操作が煩雑であるという問題がある。
【０００６】
つまり、上記従来例では、通信基板の識別信号等を確認し、実装されている基板の仕向け地を確認する操作が煩雑であり、生産ラインでは、通信基板の誤装着を簡単に検出できないという問題がある。
【０００７】
また、ユーザが居住している地域で、その仕向け対応した通信端末装置を購入し、通信規格の違う場所に、そのユーザが引っ越した場合、引き続き通信端末装置が引っ越した場所で使用できるかどうかを、ユーザが容易に判断することができないという問題がある。
【０００８】
本発明は、通信端末装置を組み立てた後にも、通信端末装置の仕向けと通信基板の仕向けとが一致していることを簡単に確認することができる通信端末装置および通信端末装置の制御方法を提供することを目的とするものである。また、本発明は、通信端末装置を出荷するときにおける通信基板の誤装着を容易に防止することができる通信端末装置および通信端末装置の制御方法を提供することを目的とするものである。
【課題を解決するための手段】
【０００９】
本発明は、各種の識別情報を保持している記録ヘッドと、上記記録ヘッドが保持している識別情報を検出する記録ヘッド識別情報検出手段と、各国の通信規格のうちの１つの通信規格が設定されている通信基板とを有する。また、本発明は、上記通信基板に識別情報を設定する通信基板識別情報設定手段と、上記通信基板に設定されている識別情報を検出する通信基板識別情報検出手段とを有する。さらに、本発明は、上記記録ヘッド識別情報検出手段が検出した識別情報と、上記通信基板識別情報検出手段が検出した識別情報とを比較する識別情報比較手段を有する通信端末装置である。
【発明の効果】
【００１０】
本発明によれば、通信端末装置を組み立てた後にも、通信端末装置の仕向けと通信基板の仕向けとが一致していることを簡単に確認することができ、通信端末装置を出荷するときにおける通信基板の誤装着を容易に防止することができるという効果を奏する。
【００１１】
また、本発明によれば、ユーザが引越し等によって、通信端末装置を使用する地域を移動した場合でも、移動した地域の記録ヘッドを通信端末装置に装着すれば、通信端末装置を引き続き使用可能であるかどうかをユーザが容易に判断できるという効果を奏する。
【発明を実施するための最良の形態】
【００１２】
発明を実施するための最良の形態は、次の実施例である。
【実施例１】
【００１３】
図１は、本発明の実施例１である通信端末装置１００のシステム構成を示す図である。
【００１４】
通信端末装置１００は、中央演算処理部（ＣＰＵ）１と、ＲＯＭ２と、ＲＡＭ３と、表示部４と、操作部５と、記録部６と、読取部７と、通信部８と、システムバス９とを有する。
【００１５】
中央演算処理部（ＣＰＵ）１は、通信端末装置１００の全体を制御する。
【００１６】
ＲＯＭ２は、プログラムおよびデータを記憶するメモリである。ＲＡＭ３は、ＣＰＵワークデータ、表示用データ、画像データ等を記憶する記憶部であり、ＤＲＡＭが使用されている。
【００１７】
表示部４は、通信端末装置１００の状態表示や操作の案内表示を行い、ＬＣＤ等によって構成されている表示部である。操作部５は、カーソルキー等によって構成されている。記録部６は、プリンタ等の記録部である。
【００１８】
読取部７は、カラーＣＣＤ等によって構成されている。通信部８は、通信回線に接続して通信制御を行う。上記各処理部は、システムバス９によって接続されている。
【００１９】
図２は、通信端末装置１００の構成を示すブロック図である。
【００２０】
通信端末装置１００は、表示部４と、操作部５と、記録部６と、読取部７と、通信部８と、記録ヘッドＩＤ検出部１３と、通信基板ＩＤ検出部１４と、ＩＤ比較部１５と、通信回線１７と、スピーカ１８と、制御部１９とを有する。
【００２１】
記録部６は、記録ヘッド認識部６１を有し、記録ヘッド認識部６１は、記録ヘッドが装着されているかどうかを認識する。通信端末装置１００は、たとえば、記録ヘッドを被記録媒体に対して走査して、被記録媒体に対して記録を行う。
【００２２】
通信部８は、通信基板ＩＤ設定部８１を有し、通信基板ＩＤ設定部８１は、仕向け先の通信規格毎に設定されている種類の通信基板を区別するために、通信基板の仕向け毎に、ＩＤを設定している。
【００２３】
記録ヘッドＩＤ検出部１３は、装着されている記録ヘッドのＩＤを検出する。記録ヘッドＩＤには、通信端末装置１００を出荷する仕向け設定等の情報が含まれている。たとえば、仕向け地として、アジア、ヨーロッパ、米国等がある。また、アジアにおいても、日本、中国、韓国等、仕向け設定を行っても構わない。あるいは、ヨーロッパにおいても、同様に、イギリス、ドイツ、フランス等、国別に設定する構成にしても構わない。
【００２４】
通信基板ＩＤ検出部１４は、通信基板ＩＤ設定部８１が設定した通信基板の仕向けＩＤを検出する。
【００２５】
ＩＤ比較部１５は、記録ヘッドＩＤ検出部１３が検出した記録ヘッドと、通信基板ＩＤ検出部１４が検出した通信基板のＩＤとを比較する。ＩＤ比較部１５による比較結果によって、通信端末装置１００に装着されている通信基板が正しく装着されているかどうかを判断する。通信基板が正しく装着されていなければ、表示部４等が警告する。
【００２６】
通信回線１７は、通信部８に接続されている。
【００２７】
スピーカ１８は、操作部５のキータッチ音を発し、通信部８で通信中のモニタ音を発し、装着された記録ヘッドＩＤの仕向け情報と装着された通信基板の仕向けＩＤとが一致しない場合に、警告音等を発する。
【００２８】
制御部１９は、上記の制御を行う。
【００２９】
次に、通信端末装置１００を組み立てるときに、正しい仕向けの通信基板が装着されているかどうかを、仕向け別に設定されている記録ヘッドに基づいて、識別する識別方法について説明する。
【００３０】
図３は、通信端末装置１００を組み立てるときに、正しい仕向けの通信基板が装着されているかどうかを、仕向け別に設定されている記録ヘッドに基づいて、識別する動作を示すフローチャートである。
【００３１】
Ｓ１で、通信端末装置１００に記録ヘッドが装着されていることを確認する。記録ヘッドが装着されていなければ、終了する。Ｓ１で通信端末装置１００に記録ヘッドが装着されていると判断されれば、Ｓ２で、装着されている記録ヘッドのＩＤを検出する。上記記録ヘッドのＩＤには、通信端末装置１００が使用される仕向け等の情報が含まれている。
【００３２】
Ｓ３で、仕向け毎に作成された通信基板に設定されている仕向けＩＤを検出する。
【００３３】
Ｓ４で、装着された記録ヘッドのＩＤが示す仕向け情報と、通信端末装置１００に装着されている通信基板の仕向けＩＤが示す仕向け情報とが一致することを確認する。仕向けＩＤが互いに一致すれば、Ｓ５で、表示部４に装着されている通信基板が正常であることを通知し、終了する。
【００３４】
また、Ｓ４で、仕向けＩＤが一致しなければ、Ｓ６で、表示部４に装着されている通信基板が装着されている記録ヘッドの仕向けと一致しないことを、表示し警告する。また、この警告方法として、通信端末装置１００に装着されているブザーやスピーカ１８等を使用し、音によって警告する方法等を採用するようにしてもよい。
【００３５】
Ｓ６で、警告が行われれば、Ｓ７で、装着されている記録ヘッドが、正しい仕向け用の記録ヘッドが装着されていることを確認する。正しい仕向け用の記録ヘッドが装着されていなければ、Ｓ８で、正しい仕向け用の記録ヘッドを装着し、Ｓ２以降の確認動作を再実行する。
【００３６】
Ｓ７で、装着されている記録ヘッドとして、正しい仕向け確認用の記録ヘッドが装着されていれば、Ｓ９で、通信端末装置１００に装着されている通信基板を、正しい仕向け用の通信基板に交換し、終了する。
【実施例２】
【００３７】
本発明の実施例２は、ユーザが引越し等で通信端末装置１００を使用する地域を移動した場合に、移動した場所で、通信端末装置１００を引き続いて使用可能であるかどうかをユーザが判断する実施例である。
【００３８】
図４は、実施例２において、ユーザが引越し等で通信端末装置１００を使用する地域を移動した場合に、移動した場所で、通信端末装置１００を引き続いて使用可能であるかどうかをユーザが判断するフローチャートである。
【００３９】
Ｓ１１で、引越した先の記録ヘッドを、通信端末装置１００に装着する。Ｓ１２で、記録ヘッドＩＤと通信基板ＩＤとを比較するメニューに移行する。Ｓ１３で、仕向け毎にＩＤを所持する通信基板の仕向けＩＤを検出する。
【００４０】
Ｓ１４で、Ｓ１１で装着された引越し先の記録ヘッドと、通信基板の仕向けＩＤとを比較する。Ｓ１４で、仕向けＩＤが一致していると判断されれば、Ｓ１５で、装着されている通信基板が正常であることを、表示部４に通知し、終了する。
【００４１】
Ｓ１４で、仕向けＩＤが一致しないと判断されれば、Ｓ１６で、装着されている通信基板が、装着されている記録ヘッドの仕向けと一致しないことを、表示部４に表示し警告する。また、この警告方法として、通信端末装置１００に装着されているブザーやスピーカ１８等、音による警告方法等も採用するようにしてもよい。
【００４２】
以上、引越し先において、通信端末装置１００を引き続いて使用することができるかどうか確認し終了する。
【図面の簡単な説明】
【００４３】
【図１】本発明の実施例１である通信端末装置１００のシステム構成を示す図である。
【図２】通信端末装置１００の構成を示すブロック図である。
【図３】通信端末装置組み立て時に、正しい仕向けの通信基板が装着されているかどうかを、仕向け別に設定されている記録ヘッドに基づいて、識別する動作を示すフローチャートである。
【図４】実施例２において、ユーザが引越し等で通信端末装置１００を使用する地域を移動した場合に、移動した場所で、通信端末装置１００を引き続いて使用可能であるかどうかをユーザが判断するフローチャートである。
【符号の説明】
【００４４】
１００…通信端末装置、
４…表示部、
５…操作部、
６…記録部、
６１…記録ヘッド認識部、
７…読取部、
８…通信部、
８１…通信基板ＩＤ設定部、
１３…記録ヘッドＩＤ検出部、
１４…通信基板ＩＤ検出部、
１５…ＩＤ比較部、
１９…制御部。
【図１】
2007251579.tif 000003
【図２】
2007251579.tif 000004
【図３】
2007251579.tif 000005
【図４】
2007251579.tif 000006